(57)【要約】      （修正有）【課題】使用者の動作を妨げることなく、使用時における安全性を高めることができる足の甲部用サポーターを提供する。【解決手段】甲当て１は、足の甲の高さ方向に厚みを有した、硬質なスポンジ状の多孔質物質から構成される。足の甲を覆う方向に広がる面は、足の甲に接する面と外部に対向する面とから構成され、外部に対向する面の表面には、溝状の窪みを設けてある。足指用弾性部材の長手方向が、弾性のより強く表れる方向であるような構成をとる。甲当て１の足の甲に接する面上であって、足の爪先が当たる部分に、長手方向と足の幅方向とがほぼ一致するように足指用弾性部材の両短辺が縫合されている。足裏用弾性部材は、弾性を有する部材から構成される。調整部材４は、弾性を有する部材から構成される。足の甲部用サポーターの着用時には、足首の後ろ側から踵にかけての部位に当たるよう、その両端が甲当て１に縫合されている。【選択図】      図１
2005009003.tif 000002
【特許請求の範囲】
【請求項１】
足の甲の高さ方向に厚みを有した、硬質なスポンジ状の多孔質物質から構成され、足の甲を覆う方向に広がる面を有しており、該足の甲を覆う方向に広がる面は、足の甲に接する面と外部に対向する面とから構成され、外部に対向する面の表面には、溝状の窪みを設けてある甲当てと、
前記甲当てを足の甲に密着した状態に装着するための装着部材と、
を備えることを特徴とする足の甲部用サポーター。
【請求項２】
前記装着部材は、
一方向に長い形状を有し、その長手方向が弾性のより強く表れる方向であるような、弾性を有する部材から構成され、前記甲当ての足の甲に接する面上であって足の爪先が当たる部分に、長手方向と足の幅方向とがほぼ一致するように部材の両短辺を縫合された、足指用弾性部材と、
弾性を有する部材から構成され、弾性がより強く表れる方向と足の幅方向とがほぼ一致するように、弾性の表れが弱い側の両辺を前記甲当てに縫合され、足の裏側から前記甲当てを固定する、足裏用弾性部材と、
弾性を有する部材を一部または全体に含んで構成され、着用時には足首の後ろ側から踵にかけての部位に当たるよう、その両端が前記甲当てに縫合された、調整部材と
からなることを特徴とする請求項１記載の足の甲部用サポーター。
【請求項３】
前記調整部材において、該調整部材は、２つの部材から構成されており、前記甲当てと縫合されていない側で２つを結合させることができる手段が取り付けられていることを特徴とする、請求項２記載の足の甲部用サポーター。
【請求項４】
前記２つの調整部材を結合させる手段が、それぞれが噛み合うフック状とパイル状の布製のテープであり、該調整部材の一方にはフック状とパイル状の布製のテープのうちのいずれかが、他方にはフック状とパイル状の布製のテープのうち、先の一方で使用してない方のテープが、前記甲当てと縫合されていない側にそれぞれ縫合されており、該布製のテープを噛み合わせて一つにつなぐことができることを特徴とする、請求項３記載の足の甲部用サポーター。
【発明の詳細な説明】
【０００１】
【発明が属する技術分野】
本発明は、足の甲部用サポーターに関し、特に、スポーツ競技等の目的で用いる足の甲部用サポーターに関する。
【０００２】
【従来の技術】
従来、図４に示すような、足首部分をサポートするためのサポーターは、伸縮性を有する筒状の布地から構成される。爪先から筒状の布地に足を通して着用し、足首から甲にかかる部位を覆う。（例えば、非特許文献１。）更に、図５に示すような、足の甲部に、例えばポリノジック等の、クッション材を取り付け、足の甲を防護するための足の甲部用サポーターがある。（例えば、非特許文献２。）足の甲部が受ける衝撃及び相手に与える衝撃を和らげる効果があり、スポーツ競技等に用いられている。
【０００３】
スポーツ競技等に用いられる、かかる足の甲部用サポーターは、サポーターを構成する素材の伸縮性により足の形にフィットし、着用する者の動作を妨げず、装着時の違和感も少ない。しかし一方では、クッション材は繊維素材から構成され、甲を覆う面積が小さい。このため、激しい動作を伴うスポーツにおいて、着用した者が受ける衝撃及び着用した者が相手に対して与える衝撃を低減させる用途からすると、従来の足の甲部用サポーターが十分に適っているとは言い難い。
【０００４】
【非特許文献１】
２００１年１月２１日発行  Ｄ＆Ｍ  ＢＯＯＫ  ＰＲＯＤＵＣＴＳ  ＣＡＴＡＬＯＧ  ２００１  １３〜１５ページ：株式会社Ｄ＆Ｍ商会発行
【非特許文献２】
２００１年１月２１日発行  Ｄ＆Ｍ  ＢＯＯＫ  ＰＲＯＤＵＣＴＳ  ＣＡＴＡＬＯＧ  ２００１  ３４〜３５ページ：株式会社Ｄ＆Ｍ商会発行
【０００５】
【発明が解決しようとする課題】
激しい動作を伴うスポーツ競技、例えば、空手等においては、適度に硬度を有する素材を用いて甲全体を覆うことにより、着用する者をけがから守り、より高い安全性を確保することが、足の甲部用サポーターに要求される。且つ、硬度を有する素材を甲部に用いつつも、従来の足の甲部用サポーターの長所を損なうことなく、着用する者の動作に支障をきたさず、装着時の違和感が少ない足の甲部用サポーターが要求される。
【０００６】
足甲にあたる部分について繊維素材のクッション材の使用を廃止し、適度に硬度を有する素材で甲全体を覆うことにより、動作時に足と足の甲部用サポーターとを一体化しにくくなること、足の大きさによっては足の甲部用サポーターのサイズと適合しなくなること、等が考えられる。
【０００７】
これらの問題点を解決した、足の甲部用サポーターの開発が望まれていた。
【０００８】
【課題を解決するための手段】
本発明の一観点として、足の甲の高さ方向に厚みを有した、硬質なスポンジ状の多孔質物質から構成され、足の甲を覆う方向に広がる面を有しており、該足の甲を覆う方向に広がる面は、足の甲に接する面と外部に対向する面とから構成され、外部に対向する面の表面には、溝状の窪みを設けてある甲当てと、前記甲当てを足の甲に密着した状態に装着するための装着部材と、を備えることを特徴とする足の甲部用サポーターが提供される。
【０００９】
甲当てとして、硬質なスポンジ状の多孔質物質を素材として使用し、甲全体を覆うことで、例えば空手等の、激しい動作を伴うスポーツ等においても、より高い安全性を実現させることが可能となる。一方、甲当て部の、外部に対向する面の表面に設けられた溝状の窪みにより、硬度を備えた部材を甲全体に対して使用しながらも、本発明に係る足の甲部用サポーターは、使用者が動作を自由に行うことができる。
【００１０】
装着部材は、例えば、足指用弾性部材、足裏用弾性部材及び調整部材からなることとしてもよい。２つの固着部材と調整部材とにより、硬度を備えた部材を使用しながらも、足の甲部用サポーターを、足の形にフィットさせることができる。
【００１１】
更に、調整部材は、２つの部材から構成され、２つの部材を結合させる手段を備えていることとしてもよい。２つの部材をつなぐ手段により、足の後ろ側と足の甲部用サポーターとのフィット感を、更に微細に調節することが可能となる。
【００１２】
【発明の実施の形態】
以下に、実施の形態を示す。図１は、本実施例における足の甲部用サポーターの概観図である。図２は、足の甲部用サポーターにおける甲の部分の内部を示す図である。図３は、足の甲部用サポーターを裏面（足裏）側から見た図である。足の甲部用サポーターは、甲当て１及び甲当て１を足の甲に密着した状態に装着するための装着部材とから構成される。装着部材は、例えば、足指用ゴム（足指用弾性部材）２、足裏用ゴム（足裏用弾性部材）３および調整部（調整部材）４から構成される。
【００１３】
甲当て１は、主に、硬質なスポンジ状の多孔質物質から構成されている。硬質なスポンジ状の多孔質物質とは、例えば、ポリウレタン等である。甲当て１に使用されるポリウレタンは甲の高さ方向に適度な厚みを有しており、足の甲全体を広く覆う形に裁断されている。ポリウレタンが厚みを有するため、甲を覆う面は、甲に接する面と、外部に対向する面とから構成される。図２に、本実施例における足の甲部用サポーターにおける甲当て１の内部を示す。窪み７が、甲当て１の、外部に対向する面の表面に設けられている。甲当て１の足首に沿う縁の両端には、切れ込みが入れてある。なお、ポリウレタンの表面全体には、着用時の感触及び外観を良くするため、革・布等が張ってある。
【００１４】
足指用ゴム２は、弾性を有する部材から構成され、例えば、ゴム等が用いられる。足指用ゴム２は、一方向に長い形状を備えている。図３は、本実施例における足の甲部用サポーターを裏面（足裏）側から見た図である。足指用ゴム２は、甲当て１の、甲が当たる側の面であって、足の爪先が当たる部分に、長手方向と足の幅方向がおおよそ一致するように配置されており、両の短辺を甲当て１と縫合されている。その大きさは、例えば、長さ約７〜８ｃｍ、幅約２ｃｍである。ゴムの長手方向について、更に、中央付近を甲当て１に縫合してもよい。
【００１５】
足裏用ゴム３は、弾性を有する部材から構成され、例えば、ゴム等が用いられる。図３に示すように、例えば幅約５ｃｍ等の、幅の広いゴムが、ゴムの長さ方向が、足の幅方向とおおよそ一致する向きになるよう、甲当て１の縁に縫合されている。
【００１６】
調整部４は、ゴム等の弾性を有する部材を一部または全体に含む。つまり、図１に示すように、調整部４は、ゴムの他、甲当て１から連続したポリウレタンの一部からも構成されている。調整部４は、足首の後ろ側から踵にかけての部位を囲む構造を備えている。調整部４は、必ずしも１本で環状の構造をとる必要はなく、２本の部分から構成されることとしてもよい。この時、例えば、図１に示すように、それぞれにマジックテープ（登録商標）５を縫合し、２本の調整部４を１本につなぐこととする。
【００１７】
甲当て１は、ポリウレタン等の適度に硬度を備えた素材を使用し、甲全体を覆っているため、本実施例における足の甲部用サポーターを着用することにより、例えば空手等の、激しい動作を伴うスポーツにおいても、着用した者が受ける衝撃のみならず、着用した者が相手に対して与える衝撃をも低減させることができる。安全性を高めることができる。
【００１８】
図２に示す窪み７が、甲当て１の、外部に対向する面の表面に設けられており、甲当て１が窪み７の箇所を境にして折り曲がりやすい。このため、甲全体を覆い、厚み・硬度を備えたポリウレタンから構成される甲当て１であっても、足首から甲を経て足指にかけての屈曲を邪魔しない。スポーツ等においても、動作がしやすく、動作の自由度に影響を与えないで済むようにすることができる。甲全体を覆う構造を備え、硬度を備えた素材を足の甲部分に使用することで、着用した者が足を動かす際、足を曲げ伸ばししにくくなる等の支障が出ることが考えられるが、窪み７によってこれを解消することができる。なお、図２においては窪み７が３箇所設けられているが、窪みの数及びその位置は、これに限られるものではない。利用の態様に合わせ、窪みの数及びその位置を変更することが可能である。
【００１９】
足指用ゴム２は、足指用ゴム２と甲当て１との間に足の指を挿入して使用する。ゴムの弾性力により、足の指が甲当て１に固定され、爪先部分が甲当て１と離れにくくなる。足裏用ゴム３は、ゴムの長さ方向が足の幅方向とおおよそ一致するように甲当て１に縫合されており、足の幅方向に関して大きい伸縮性を有する。この足幅方向の伸縮性を利用して、甲当て１が足の甲上でずれにくいように、足の裏側からゴムで固定する。
【００２０】
足指用ゴム２および足裏用ゴム３を設け、甲当て１に縫合されているため、動作時においても足からずれにくい。甲当て１が硬度を有するため、着用したとき、甲当て１と足とがフィットしにくい、ということが考えられるが、足指用ゴム２および足裏用ゴム３が、着用時の違和感を軽減させる。
【００２１】
調整部４の一部または全体に、ゴム等の弾性体を含むようにして甲当て１に縫合させることで、伸縮性を有しておらず一定の形状を取る甲当て１を、足のサイズによらず広く対応させることができる。２つの調整部４から構成されることとしてもよい。このとき、甲当て１と縫合された側と反対側の先端にマジックテープ５をそれぞれつけると、足のサイズにあわせることができることに加え、さらに、使用者の好みによって、装着感を微調整させることもできる。
【００２２】
なお、あらゆる甲の高さに適応させることのできるように、甲当て１の切れ込み部分に、ゴム６を取り付けることとしてもよい。ゴム６によって、甲の高さの個人差によらず、足の甲部用サポーターの甲当て１をフィットさせることができる。また、ゴム６が、甲当て１に対する違和感を軽減するため、使用者が動作をしやすくなるという利点もある。
【００２３】
なお、本発明は以上の例に限定されることなく、更に種々変形して実施することができる。例えば、足裏用ゴムは、普通の幅のゴムを数本取り付けることとしてもよいし、２本の調整部材をつなぐのに、マジックテープ以外のものを使用することとしてもよい。
【００２４】
【発明の効果】
以上説明したように、本発明によれば、使用者の動作を妨げることなく、使用時における安全性を高めることができる。
【図面の簡単な説明】
【図１】本実施例における足の甲部用サポーターの概観図である。
【図２】足の甲部用サポーターにおける甲の部分の内部を示す図である。
【図３】足の甲部用サポーターを裏面（足裏）側から見た図である。
【図４】従来における足首用サポーターの例である。
【図５】従来における足の甲部用サポーターの例である。
【符号の説明】
１  甲当て
２  足指用ゴム（足指用弾性部材）
３  足裏用ゴム（足裏用弾性部材）
４  調整部（調整部材）
５  マジックテープ（登録商標）
６  ゴム
７  窪み
【図１】
2005009003.tif 000003
【図２】
2005009003.tif 000004
【図３】
2005009003.tif 000005
【図４】
2005009003.tif 000006
【図５】
2005009003.tif 000007